(57)【要約】【課題】フィルタ装置にて捕捉した塵埃を簡単な構成で確実に取り除くことができる電気掃除機を提供する。【解決手段】フィルタ装置７１は、電動送風機６の駆動による吸込風が通過する際にのみ、吸込風とともに吸い込んだ塵埃を捕捉する。電動送風機６の駆動をオンすると、電動送風機６を駆動させる前に回路基板９１がバイブレータ８４を駆動させてフィルタ装置７１を振動させる。振動によりフィルタ装置７１にて捕捉した塵埃を効率良く取り除くことができる。掃除の前にフィルタ装置７１に付着した塵埃を取り除くので、フィルタ装置７１に塵埃が付着することにより生じる電動送風機６の吸込効率の低下を防止できる。【選択図】　　　　図１
2004121621.tif 000002
【特許請求の範囲】
【請求項１】
電動送風機と、
この電動送風機による吸込風から塵埃を捕捉するフィルタ装置と、
このフィルタ装置を振動させてこのフィルタ装置にて捕捉した塵埃を取り除く振動手段と、
前記電動送風機を駆動させる前に前記振動手段にて前記フィルタ装置を振動させた後、前記電動送風機を駆動させる制御手段と
を具備したことを特徴とした電気掃除機。
【請求項２】
電動送風機と、
この電動送風機による吸込風から塵埃を捕捉するフィルタ装置と、
このフィルタ装置を振動させてこのフィルタ装置にて捕捉した塵埃を取り除く振動手段と、
前記電動送風機の駆動を停止させた後、前記振動手段にて前記フィルタ装置を振動させる制御手段と
を具備したことを特徴とした電気掃除機。
【請求項３】
電動送風機と、
波状に折り曲げられて複数の突部および凹部が形成され、通過する空気から塵埃を捕捉するシート体を有し、前記電動送風機による吸込風から塵埃を捕捉するフィルタ装置と、
このフィルタ装置のシート体の凹部のそれぞれに嵌め込まれた複数の爪部を有する伝達体と、
この伝達体の複数の爪部のそれぞれが前記シート体の凹部を乗り越えないよう前記突部が並ぶ方向に前記伝達体を振動させる振動手段と
を具備したことを特徴とした電気掃除機。
【請求項４】
伝達体とは別体に形成され、シート体が収容された枠体を具備した
ことを特徴とした請求項３記載の電気掃除機。
【発明の詳細な説明】
【０００１】
【発明の属する技術分野】
本発明は、通過する空気から塵埃を捕捉するフィルタ装置を備えた電気掃除機に関する。
【０００２】
【従来の技術】
従来、この種の電気掃除機は、内部に電動送風機が収容された掃除機本体を備えている。また、この掃除機本体内における電動送風機の下側には、この電動送風機へと電力を供給させるコードが引き出し可能に巻回されたドラム体が収容されている。
【０００３】
さらに、電動送風機の吸込側には、この電動送風機へと吸い込まれる吸込風を通過させて、この吸込風から塵埃を捕捉させるフィルタ装置が取り付けられている。そして、このフィルタ装置と電動送風機との間には、ドラム体にてコードを巻き取る際に連動して回転して、このフィルタ装置を振動させる受振子が回転可能に取り付けられている。この受振子は、コードを巻き取る際のドラム体の回転に連動して回転して、フィルタ装置の排気側を擦って振動させて、このフィルタ装置にて捕捉した塵埃を取り除く（例えば、特許文献１参照。）。
【０００４】
【特許文献１】
特公昭６０−４９４９５号公報（第４頁、第３図および第４図）
【０００５】
【発明が解決しようとする課題】
しかしながら、上記電気掃除機では、フィルタ装置を受振子にて擦ってこのフィルタ装置を振動させて、このフィルタ装置にて捕捉した塵埃を取り除いているので、このフィルタ装置自体の寿命上好ましくない。特に、フィルタ面積を増加させるために、波状に折り曲げられて複数の突部および凹部が形成されたフィルタにおいては、各突部が損傷しやすいものであった。
【０００６】
また、ドラム体を回転させてコードを巻き取る際でなければ、受動子によりフィルタ装置を振動させることができないから、このフィルタ装置にて捕捉した塵埃を的確に取り除くことができない場合があるという問題を有している。さらに、近年普及しているコードレス型のものには適用できないという問題もあった。
【０００７】
本発明は、このような点に鑑みなされたもので、フィルタ装置にて捕捉した塵埃を確実に取り除くことができる電気掃除機を提供することを目的としているとともに、フィルタ装置の寿命に悪影響を与えずに捕捉した塵埃が取り除けるフィルタ装置を備えた電気掃除機を提供することを目的とする。
【０００８】
【課題を解決するための手段】
本発明の電気掃除機は、電動送風機を駆動させる前に制御手段が振動手段にてフィルタ装置を振動させて、このフィルタ装置により電動送風機による吸込風から捕捉した塵埃を取り除いた後、制御手段にて電動送風機を駆動させるものである。そして、電動送風機を駆動させる前に振動手段にてフィルタ装置を振動させることにより、掃除を行う前には確実にフィルタ装置にて捕捉した塵埃を取り除くことができるので、電動送風機による吸込効率の低下を防止できる。
【０００９】
また、本発明の電気掃除機は、電動送風機の駆動を停止させた後、制御手段が振動手段にてフィルタ装置を振動させて、このフィルタ装置により電動送風機による吸込風から捕捉した塵埃を取り除くものである。そして、電動送風機の駆動を停止させた後に振動手段にてフィルタ装置を振動させることにより、電動送風機を駆動させる毎にフィルタ装置にて捕捉した塵埃が取り除かれるため、このフィルタ装置にて捕捉した塵埃をその都度取り除くことができるから、このフィルタ装置にて捕捉した塵埃を確実に取り除くことができる。
【００１０】
さらに、本発明の電気掃除機は、波状に折り曲げられて複数の突部および凹部が形成されたシート体の凹部のそれぞれに嵌め込まれた複数の爪部のそれぞれが、シート体の凹部を乗り越えないよう突部が並ぶ方向に伝達体を振動手段にて振動させるものである。そして、振動手段にて伝達体を振動させた際に、この伝達体の複数の爪部がシート体の凹部を乗り越えないので、このシート体の寿命に悪影響を与えることなく、このシート体にて捕捉した塵埃を取り除くことができる。
【００１１】
【発明の実施の形態】
以下、本発明の電気掃除機の一実施の形態を図１ないし図５を参照して説明する。
【００１２】
図１ないし図５において、１は掃除機本体で、この掃除機本体１は、吸い込んだ吸込風を反転させずに重力により塵埃を分離する直進流式のサイクロン方式を用いた電気掃除機である。また、この掃除機本体１は、充電式で床面を走行可能である。
【００１３】
さらに、この掃除機本体１は、中空なケース体２を備えている。このケース体２の前側には、円形の本体吸込口３が側方に向けて水平に開口されている。この本体吸込口３には、可撓性を有する細長円筒状のホース体４の基端部に連通された接続管部５が水平に着脱可能に連通接続されている。そして、このホース体４の先端部には、伸縮可能な図示しない延長管を介して吸込口体としての床ブラシが着脱可能に連通接続されている。
【００１４】
また、ケース体２の内部には、駆動手段としての電動部である電動送風機６が収容されている。この電動送風機６は、ケース体２内における後側上方に配設されており、吸込側をケース体２の本体吸込口３側である前側下方に向けた状態で収容されている。また、この電動送風機６は、ケース体２内に収容された充電可能な図示しない２次電池からの電力の供給により駆動される。
【００１５】
さらに、このケース体２内における本体吸込口３と電動送風機６との間であるこの電動送風機６の吸込側には、この電動送風機６の駆動により本体吸込口３から吸い込んだ吸込風を電動送風機６に向かって直進させながら内部で旋回させて、この吸込風とともに吸い込んだ塵埃を自重による遠心分離により落下させる集塵装置１１が取り付けられている。
【００１６】
そして、この集塵装置１１は、本体吸込口３の基端側に気密に連通した細長円筒状の連通管１２を備えている。この連通管１２は、本体吸込口３に対して後側上方に向けて屈曲した状態でこの本体吸込口３に接続されており、この本体吸込口３から吸い込んだ吸込風の風路を上方へと導く。また、この連通管１２の基端側は、この連通管１２を介して本体吸込口３から吸い込んだ吸込風を旋回流とする、具体的には進行方向を軸として旋回させた状態で直進させる中空略円柱状の塵埃分離部１０の一部を構成するサイクロン室１３の先端側に気密に連通接続されている。
【００１７】
このサイクロン室１３は、連通管１２に対して基端側を上方に向けて傾斜させた状態でこの連通管１２に接続されている。また、このサイクロン室１３は、連通管１２よりも大きな径寸法を有しており、このサイクロン室１３の中心軸が風路に対して平行に配置されている。さらに、このサイクロン室１３の先端面における進行方向に対する前面視右側は、このサイクロン室１３の外周面側を基端側に向けて傾斜させた傾斜面部１４とされている。また、このサイクロン室１３の先端面における進行方向に対する前面視左側は、このサイクロン室１３の周面部に対して垂直な垂直面部１５とされている。そして、この垂直面部１５の上下方向における中央部に、連通管１２の基端側が接続されている。
【００１８】
さらに、このサイクロン室１３の内部には、このサイクロン室１３へと吸い込まれた吸込風を、このサイクロン室１３の内周面に沿って旋回させる旋回手段としてのスパイラル翼１６が収容されている。このスパイラル翼１６は、サイクロン室１３へと吸い込まれた吸込風を直進成分を含む旋回風に整流させる。さらに、このスパイラル翼１６は、細長円柱状の軸体１７を備えており、この軸体１７は、サイクロン室１３の中心軸に一致した状態で、このサイクロン室１３内に収容されている。また、この軸体１７の外周面には、この軸体１７の軸方向に沿って螺旋状であるスパイラル状に巻回し、この軸体１７の径方向に向けて巻回しながら突出した羽体としてのフィン１８が同心状に取り付けられている。このフィン１８は、進行方向に対する前面側から見た際に、時計回りに巻回している。さらに、このフィン１８の軸方向における先端縁には、サイクロン室１３の内側から連通管１２の基端部の上側縁に当接して連通される円弧面状の連通面部１９が設けられている。
【００１９】
また、サイクロン室１３の基端側には、このサイクロン室１３よりも径大な略円筒状の嵌合筒部２１が設けられている。この嵌合筒部２１は、塵埃分離部１０の一部を構成する塵埃分離室２３の先端側に連通接続されている。この塵埃分離室２３は、細長平板体の両端部を平行になるまで湾曲させた略Ｕ字状の周面部２２を有し、この周面部２２の両側が閉塞されて構成されている。また、この塵埃分離室２３の先端側の面には、吸込口２４が開口されており、この吸込口２４の開口縁には、この吸込口２４の軸方向に沿って突出した円筒状の嵌合受部２５が設けられている。この嵌合受部２５は、サイクロン室１３の嵌合筒部２１に外嵌合されて気密に連通接続されている。ここで、これらサイクロン室１３および塵埃分離室２３により塵埃分離部１０が構成される。
【００２０】
さらに、塵埃分離室２３は、サイクロン室１３の嵌合筒部２１の外径寸法よりも外径寸法および内径寸法のそれぞれが大きく、軸方向をサイクロン室１３に略一致させた状態で取り付けられている。また、この塵埃分離室２３の周面部２２における上側の円弧状に湾曲した部分が湾曲面部２６とされている。この湾曲面部２６は、進行方向における前側から見た際に、左側部から右側部に向かうに連れて徐々に遠心方向に向けて膨らませて拡径させた形状に形成されている。さらに、この湾曲面部２６に連続した周面部２２の互いに対向した部分が一対の平板状の側面部２７とされている。そして、これら一対の側面部２７は、湾曲面部２６の軸方向に沿って互いに平行に離間された状態で配設されている。また、これら一対の側面部２７の下側縁には、塵埃分離室２３にて分離した塵埃を落下させて集塵させる細長矩形状の塵埃分離口２８が開口されている。この塵埃分離口２８は、幅方向に沿った長手方向を有している。
【００２１】
また、塵埃分離室２３内における周面部２２の湾曲面部２６と塵埃分離口２８との間には、この湾曲面部２６に対向して円弧状に湾曲した円周面状の壁部としての円周面部３１が区画形成されている。この円周面部３１は、塵埃分離室２３の旋回室３２と集塵室５１の還流室３６とを区画するとともに、この集塵室５１側に向けて凸となるように円弧状に形成されている。そして、この円周面部３１の長手方向である周方向における両端部は、一対の側面部２７よりも内側で、これら一対の側面部２７の上端縁のそれぞれに対して平行に位置している。さらに、この円周面部３１は、周面部２２の湾曲面部２６における軸方向に沿って突出しており、この湾曲面部２６とにより吸込風を進行方向を軸として旋回させた状態で直進させて旋回流とする旋回部としての旋回室３２を構成する。
【００２２】
そして、この円周面部３１の周方向における右側に位置する一端部と、この一端部に対向した周面部２２の右側に位置する一方の側面部２７との間には、この周面部２２の湾曲面部２６の接線方向に向けて開口した矩形状の連通口としての排出口３３が開口されている。この排出口３３は、旋回室３２にて旋回流とされた吸込風を排気させて、この吸込風から遠心分離された塵埃を塵埃分離室２３の下方へと落下させる。
【００２３】
よって、円周面部３１の周方向における右側の外側面と、周面部２２の右側に位置する一方の側面部２７の内側面とによって排気風路３４が形成される。この排気風路３４は、先広に形成されており、円周面部３１の外側面によって、排出口３３から旋回風とともに排出された塵埃の速度が徐々に遅くなるように、下方に向けて徐々に拡開している。この結果、この排気風路３４は、排出口３３から下方に向けて徐々に断面積が大きくなるように構成されている。
【００２４】
さらに、円周面部３１の周方向における左側に位置する他端部と、この他端部に対向した周面部２２の左側に位置する他方の側面部２７との間には、この周面部２２の湾曲面部２６の接線方向に向けて開口した矩形状の還流口３５が開口されている。この還流口３５は、排出口３３と同じ矩形状であり、この排出口３３に対して旋回室３２の中心軸を通過する上下方向を軸方向とした線対称な位置に設けられている。すなわち、この還流口３５と排出口３３とは、円周面部３１の円弧面に沿った両側に配置されている。
【００２５】
また、この還流口３５は、排出口３３から排気された旋回風を再度旋回室３２へと旋回させて還流させる。すなわち、この還流口３５は、排出口３３から還流室３６へと流れた風を旋回室３２へと還流させる。したがって、これら排出口３３および還流口３５によって、塵埃分離室２３内における円周面部３１を介した外側が、排出口３３から排気された旋回風を旋回させて再度旋回室３２へと還流させる還流部としての還流室３６となる。すなわち、この還流室３６は、円周面部３１を介した旋回室３２の反対側の位置に区画形成されている。また、この還流室３６は、塵埃分離室２３の旋回室３２にて遠心分離した塵埃を集塵する集塵部３８の一部を構成する。
【００２６】
よって、円周面部３１の周方向における左側の外側面と、周面部２２の左側に位置する他方の側面部２７の内側面とによって還流風路３７が形成される。この還流風路３７は、先細に形成されており、円周面部３１の外側面によって、還流口３５から旋回室３２へと還流される旋回風の風速が徐々に速くなるように、下方に向けて徐々に拡開している。この結果、この還流風路３７は、還流口３５から下方に向けて徐々に断面積が大きくなるように構成されている。
【００２７】
そして、円周面部３１の下端部と左側に位置する側面部２７との間には、還流室３６から旋回室３２へと還流される旋回風から塵埃を捕捉する集塵フィルタ４１が取り付けられている。この集塵フィルタ４１は、矩形枠状の枠体４２内にメッシュ体である網状体４３が取り付けられて構成されている。さらに、この集塵フィルタ４１は、周面部２２の一対の側面部２７に対して垂直に配設されており、塵埃分離室２３の軸方向に沿って取り付けられている。
【００２８】
また、塵埃分離室２３の塵埃分離口２８の下側には、この塵埃分離室２３にて吸込風から遠心分離されて排出口３３から塵埃分離口２８へと落下した塵埃を集塵する中空な集塵部としての集塵室５１が設けられている。この集塵室５１は、排出口３３に連通しており、還流室３６とにより集塵部３８を構成する。また、この集塵室５１は、ケース体２内において塵埃分離室２３の先端側を下方へと傾斜させて配設させている。したがって、この集塵室５１の上端面は、基端側から先端側に向けて下方へと傾斜しており、この集塵室５１の下端面である底面は、ケース体２内において水平に設置されている。そして、この集塵室５１の上端面の傾斜方向である上下方向における中間部には、幅方向に沿った長手方向を有する細長矩形状の集塵口５２が開口されている。この集塵口５２は、塵埃分離室２３の塵埃分離口２８に連通接続されている。
【００２９】
一方、塵埃分離室２３の基端側には、この塵埃分離室２３にて塵埃が分離された吸込風が通過する円状の通気口５３が開口されている。この通気口５３は、塵埃分離室２３の周面部２２の湾曲面部２６と円周面部３１との間の中心部に設けられている。また、この通気口５３は、塵埃分離室２３の吸込口２４の同心状に形成されている。さらに、この通気口５３には、中空略円錐状のフィルタ体５４の基端側が同心状に取り付けられている。このフィルタ体５４は、通気口５３から塵埃分離室２３の内部側に向けて突出している。
【００３０】
また、このフィルタ体５４は、底面が開口され、周面部に径方向に沿った斜辺を有する三角形状の複数の開口部５５が周方向に沿って等間隔に離間されて設けられた略円錐状の枠状体５６を備えている。そして、この枠状体５６の各開口部５５のそれぞれには、これら各開口部５５を通過する吸込風から塵埃を捕捉するメッシュ体としての網状体５７が取り付けられている。
【００３１】
さらに、塵埃分離室２３の基端側には、この塵埃分離室２３の通気口５３に気密に連通された矩形筒状のフィルタ室６１が設けられている。このフィルタ室６１は、塵埃分離室２３の最大外径寸法よりも幅寸法および高さ寸法が大きい矩形筒状に形成されている。また、このフィルタ室６１は、塵埃分離室２３の同心状に取り付けられている。
【００３２】
そして、このフィルタ室６１の内部には、塵埃分離室２３を通過した空気を、この塵埃分離室２３での旋回流の進行方向に沿って電動送風機６へと導く吸込風路５８が形成されている。また、この吸込風路５８には、この吸込風路５８を通過する吸込風から塵埃をフィルタリングにて捕捉するフィルタ装置７１が取り付けられている。このフィルタ装置７１は、電動送風機６による吸込風から塵埃を捕捉し、フィルタ室６１内を先端側と基端側とに分割する。また、このフィルタ装置７１は、フィルタ室６１内を軸方向に対して垂直に閉塞する。
【００３３】
さらに、このフィルタ装置７１は、矩形状の枠体としての枠フレーム７２を備えている。この枠フレーム７２の内部には、紙状である矩形のシートを長手方向に向けてジグザグに折り曲げたプリーツ状のシート体としてのフィルタシート６２が収容されている。このフィルタシート６２は、上下方向に沿って波状に交互に折り曲げられて複数の山状の突部７３と谷状の凹部７４とが交互に連続して設けられている。また、このフィルタシート６２の下端部は折り返しなどされていない。
【００３４】
また、フィルタ装置７１の排気側には、このフィルタ装置７１のフィルタシート６２へと振動を伝達する伝達体としての振動伝達部材７５が取り付けられている。この振動伝達部材７５は、枠フレーム７２とは別体に構成されて略コ字状に形成されている。また、この振動伝達部材７５における互いに平行に対向する両側部には、櫛状に形成された一対の伝達片部７６が設けられている。これら一対の伝達片部７６それぞれの一側面には、フィルタシート６２の各凹部７４に合致した形状である爪状の係合爪部７７が等間隔に離間されて複数設けられている。これら複数の係合爪部７７は、枠フレーム７２内に取り付けられたフィルタシート６２の各凹部７４のそれぞれに連続して嵌め込まれている。
【００３５】
なお、振動伝達部材７５の一対の伝達片部７６は、互いに平行に離間されている。また、これら一対の伝達片部７６は、枠フレーム７２内に取り付けられたフィルタシート６２の各凹部７４の上下方向における中間部よりも上側と下側とのそれぞれ中間部に、枠フレーム７２の幅方向に沿って平行に嵌め込まれている。さらに、これら一対の伝達片部７６の長手方向における基端部は、細長矩形棒状の連結片部７８の両端部に連結されている。この連結片部７８は、枠フレーム７２の一側部の内側縁に設けられた断面凹状の嵌合凹部８１に嵌合されて取り付けられている。この嵌合凹部８１は、枠フレーム７２の一側部の両端部から離間された位置である長手方向における中央部に設けられている。また、この嵌合凹部８１は、枠フレーム７２の吸気側および内側のそれぞれに向けて開口した段状に形成されている。
【００３６】
また、この連結片部７８における一対の伝達片部７６に対向した一側面には、矩形状の伝達突部７９が突設されている。この伝達突部７９は、連結片部７８の上下方向における中心部に設けられている。また、この伝達突部７９は、枠フレーム７２の嵌合凹部８１に連続して、この枠フレーム７２の一側部の内側から外側へと貫通した断面凹状の嵌合溝部８２に嵌合されて取り付けられている。
【００３７】
ここで、この嵌合溝部８２は、枠フレーム７２の一側部における吸込側に設けられている。また、この嵌合溝部８２は、枠フレーム７２の一側部の長手方向における中央部に設けられている。さらに、この嵌合溝部８２は、枠フレーム７２の一側部の幅方向に沿って設けられている。よって、振動伝達部材７５の伝達突部７９は、枠フレーム７２の嵌合溝部８２に嵌合された際に、この枠フレーム７２の一側部の外側面よりも外側に突出する。また、この振動伝達部材７５の連結片部７８および伝達突部７９のそれぞれは、枠フレーム７２の嵌合凹部８１および嵌合溝部８２のそれぞれに嵌合させた際に、この枠フレーム７２の吸気側の面に対して面一となる。
【００３８】
一方、フィルタ室６１の一側面である右側面には、中空円柱状のモータ収容室８３が設けられている。このモータ収容室８３は、フィルタ室６１の通気口５３の軸方向に沿った軸方向を有している。また、このモータ収容室８３は、フィルタ室６１内に収容されたフィルタ装置７１の振動伝達部材７５の伝達突部７９の先端部に対して平行に取り付けられている。すなわち、このモータ収容室８３の外側面における最も突出した部分が、フィルタ装置７１の振動伝達部材７５の伝達突部７９に最も近づくように、このモータ収容室８３の径方向に伝達突部７９の突出方向が沿った状態で取り付けられている。
【００３９】
また、このモータ収容室８３の内部には、フィルタ室６１内のフィルタ装置７１のフィルタシート６２を幅方向に向けて振動させる振動手段としてのモータであるバイブレータ８４が収容されている。このバイブレータ８４は、モータ収容室８３の内径寸法よりも小さい外径寸法を有する円柱状に形成されている。また、このバイブレータ８４は、フィルタ装置７１の振動伝達部材７５の各係合爪部７７がフィルタシート６２の各凹部７４を乗り越えないように、このフィルタシート６２の突部７３が並ぶ方向である幅方向に向けて伝達振動部材７５を振動させる。
【００４０】
さらに、このバイブレータ８４は、ケース体２内に収容された制御手段としての回路基板９１により駆動がオンオフされる。この回路基板９１は、スイッチのオンオフによる信号に基づいて電動送風機６の駆動をオンオフさせる。また、この回路基板９１は、図示しないスイッチをオンして電動送風機６の駆動をオンさせると、このスイッチのオンによる信号に基づいて電動送風機６を駆動させる前に、バイブレータ８４を所定時間駆動させた後、電動送風機６を駆動させる。なお、この回路基板９１は、バイブレータ８４へと供給される電力を調整でき、このバイブレータ８４による振動量が調整可能である。
【００４１】
一方、フィルタ室６１の上側部は、開口されて取出口６３とされている。この取出口６３は、フィルタ室６１内のフィルタシート６２を出し入れ可能にして交換可能にする。また、この取出口６３は、フィルタ室６１の上側部が取り除かれて、このフィルタ室６１の上側部を開口させた幅方向に長手方向を有する細長矩形状に形成されている。そして、この取出口６３には、この取出口６３を開閉可能に気密に閉塞させる矩形平板状の蓋体６４が着脱可能に取り付けられる。
【００４２】
また、このフィルタ室６１の基端側には、この塵埃分離室２３の通気口５３に対して同心状に形成され、この通気口５３の内径寸法よりも内径寸法の小さい吸込口６５が開口されている。また、このフィルタ室６１の基端側には、円筒状の連通筒部６６が同心状に設けられている。この連通筒部６６は、フィルタ室６１の幅寸法および高さ寸法のそれぞれよりも小さい外径寸法を有しており、このフィルタ室６１の吸込口６５の同心状に設けられている。そして、この連通筒部６６には、電動送風機６の吸込側が嵌合されて、この電動送風機６の吸込側が気密に連通接続される。
【００４３】
さらに、フィルタ室６１の下端面は、開口されてフィルタ集塵口９３とされている。このフィルタ集塵口９３は、集塵室５１の集塵口５２に連通している。また、このフィルタ集塵口９３は、フィルタ装置７１のフィルタシート６２にて捕捉した塵埃が、このフィルタシート６２から取り除かれた際に、この塵埃が落下して集塵室５１内に捕捉される。
【００４４】
また、このフィルタ集塵口９３には、このフィルタ集塵口９３の前後方向に沿った複数の仕切部９４が設けられている。この仕切部９４は、フィルタ集塵口９３の前後方向に位置する両側縁を橋し渡すように設けられており、互いに等間隔に離間されている。また、この仕切部９４は、フィルタ室６１からのフィルタ集塵口９３を介した集塵室５１へのフィルタ装置７１の落下を防止する。
【００４５】
次に、上記一実施の形態の作用を説明する。
【００４６】
まず、電動送風機６の駆動をオンさせようとしてスイッチをオンすると、回路基板９１が電動送風機６を駆動させる前にバイブレータ８４を所定時間駆動させる。
【００４７】
このとき、このバイブレータ８４の駆動によって、このバイブレータ８４が振動する。すると、このバイブレータ８４の振動がモータ収容室８３を介してフィルタ室６１内に収容されたフィルタ装置７１の振動伝達部材７５の伝達突部７９へと伝達される。
【００４８】
そして、この伝達突部７９へと伝達した振動は、連結片部７８を介して一対の伝達片部７６へと伝達されて、これら一対の伝達片部７６を枠フレーム７２に対して水平に振動させる。
【００４９】
このとき、これら一対の伝達片部７６の振動によって、これら一対の伝達片部７６の各係合爪部７７が振動し、これら各係合爪部７７がそれぞれの凹部７４に嵌め込まれたフィルタシート６２が幅方向に向けて振動する。
【００５０】
この結果、このフィルタシート６２の振動によって、このフィルタシート６２にて捕捉した塵埃が、このフィルタシート６２の表面から取り除かれる。そして、このフィルタシート６２から取り除かれた塵埃は、自重により落下してフィルタ室６１のフィルタ集塵口９３を介して集塵室５１内へと落下して集塵される。
【００５１】
この後、バイブレータ８４の振動が所定時間経過すると、このバイブレータ８４の駆動が回路基板９１によりオフされて停止された後、この回路基板９１によって電動送風機６が駆動される。
【００５２】
すると、この電動送風機６の駆動により、床ブラシ、延長管およびホース体４を順次介して掃除機本体１の本体吸込口３から空気とともに塵埃が吸い込まれる。
【００５３】
そして、この本体吸込口３から吸い込まれた空気が吸込風となり、この吸込風は、連通管１２を介してサイクロン室１３へと吸い込まれる。このとき、このサイクロン室１３内へと吸い込まれた吸込風は、このサイクロン室１３内のスパイラル翼１６によって、進行方向を軸として螺旋状に旋回された状態で直進されて旋回流となる。
【００５４】
この後、この旋回流とされた吸込風は、サイクロン室１３から吸込口２４を介して塵埃分離室２３の旋回室３２内で旋回する。このとき、この旋回室３２内での旋回流とされた吸込風の旋回により、この旋回風とともに旋回する塵埃が、自重による遠心分離によって、この旋回室３２の外周側へと送られて、この旋回室３２内の排出口３３から旋回流とされた吸込風とともに還流室３６へと送られる。
【００５５】
そして、この還流室３６へと旋回風とともに送られた塵埃は、この塵埃自体の自重によって塵埃分離室２３の塵埃分離口２８を介して集塵室５１内へと落下して、この集塵室５１内に集塵される。
【００５６】
さらに、排出口３３を介して旋回室３２から還流室３６へと旋回した旋回風は、この還流室３６の還流口３５を通過して旋回室３２へと還流する。このとき、この旋回風は、還流室３６に取り付けられた集塵フィルタ４１を通過する。そして、この集塵フィルタ４１の網状体４３によって還流室３６から旋回室３２へと還流される旋回風に漂う塵埃が捕捉される。
【００５７】
また、この旋回室３２内で旋回している吸込風は、この旋回室３２内における中心部から、この旋回室３２内のフィルタ体５４の開口部５５を通過しつつ直進流となる。このとき、この直進流に漂う塵埃が、フィルタ体５４の開口部５５に取り付けられた網状体５７によって捕捉される。
【００５８】
さらに、このフィルタ体５４の開口部５５を通過した直進流は、フィルタ室６１の吸込風路５８へと吸い込まれて、このフィルタ室６１内のフィルタシート６２を通過する。このとき、この直進流に漂う塵埃がフィルタシート６２によって捕捉される。
【００５９】
この後、このフィルタシート６２を通過した直進流である吸込風は、フィルタ室６１の吸込口６５へと吸い込まれ、このフィルタ室６１の連通筒部６６を介して電動送風機６の吸込側へと吸い込まれる。
【００６０】
上述したように、上記一実施の形態によれば、電動送風機６の吸込側に設けたフィルタ室６１内のフィルタ装置７１は、電動送風機６の駆動による吸込風が通過する際にのみ、この吸込風から塵埃を捕捉する。このため、電動送風機６を駆動させる前に回路基板９１にてバイブレータ８４を駆動させて振動させ、このバイブレータ８４の振動にてフィルタ装置７１のフィルタシート６２を振動させることにより、掃除を行う前には確実にフィルタシート６２にて捕捉した塵埃を取り除くことができる。
【００６１】
この結果、このフィルタ装置７１のフィルタシート６２にて捕捉した塵埃を、電動送風機６を駆動させる前である掃除開始時に効率良く取り除くことができる。また、電動送風機６を駆動させる毎に、この電動送風機６が駆動される以前にフィルタ装置７１のフィルタシート６２に付着した塵埃を取り除くことができる。よって、このフィルタシート６２の目詰まりによる電動送風機６の吸込効率の低下を簡単な構成で確実に防止できる。このため、この電動送風機６による吸込効率を維持できる。
【００６２】
また、振動伝達部材７５の各係合爪部７７がフィルタシート６２の各凹部７４を乗り越えないように、このフィルタシート６２の幅方向に向けて振動伝達部材７５をバイブレータ８４が振動させる。このため、フィルタシート６２の寿命に悪影響を与えることなく、振動伝達部材７５の各係合爪部７７がフィルタシート６２の凹部７４を乗り越えることにより生じる、このフィルタシート６２の破損を防止できるとともに、このフィルタシート６２を幅方向の全体に亘って効率良く振動できる。よって、このフィルタシート６２にて捕捉した塵埃をより効率良く取り除くことができる。
【００６３】
さらに、振動伝達部材７５の一対の伝達片部７６を互いに平行に離間させて、これら一対の伝達片部７６の複数の係合爪部７７を、フィルタシート６２の各凹部７４の上下方向における中間部よりも上側と下側とのそれぞれの中間部に幅方向に沿って平行に嵌め込ませた。この結果、このフィルタシート６２の上下方向においても比較的全体に亘って幅方向に向けて振動できるから、このフィルタシート６２にて捕捉した塵埃をより効率良く取り除くことができる。
【００６４】
また、振動伝達部材７５を枠フレーム７２とは別体とし、この振動伝達部材７５の連結片部７８を枠フレーム７２の嵌合凹部８１に嵌合させるとともに、この振動伝達部材７５の伝達突部７９を枠フレーム７２の嵌合溝部８２に嵌合させた。よって、この振動伝達部材７５の伝達突部７９を振動させることにより、この振動伝達部材７５の伝達突部７９および連結片部７８のそれぞれが枠体４２に対して幅方向に向けて振動する。
【００６５】
したがって、この枠体４２に対してフィルタシート６２を幅方向に向けて振動できるので、このフィルタシート６２を枠フレーム７２と一緒に幅方向に向けて振動させる場合に比べ、このフィルタシート６２を振動伝達部材７５にてより確実に振動できる。このため、このフィルタシート６２にて捕捉した塵埃をより効率良く取り除くことができる。
【００６６】
さらに、フィルタ室６１の下端部を開口させてフィルタ集塵口９３とし、このフィルタ集塵口９３を集塵室５１の集塵口５２に連通させた。この結果、フィルタシート６２から取り除いた塵埃が自重により落下した際に、フィルタ室６１のフィルタ集塵口９３を介して集塵口５２から集塵室５１内に集塵される。したがって、この集塵室５１内に集塵された塵埃を取り除くことにより、塵埃分離部１０にて遠心分離した塵埃とフィルタ装置７１にて捕捉した塵埃とのそれぞれを一度に取り除くことができる。このため、集塵装置１１のメンテナンス回数を削減できるから、この集塵装置１１の取り扱い性を向上できる。
【００６７】
なお、上記一実施の形態では、キャニスタ型の電気掃除機について説明したが、ポット式やアップライト型などの電気掃除機であっても対応させて用いることができる。さらに、吸い込んだ空気から塵埃を分離することが必要な空気清浄機やエアコンディショナ、調理器などの電気掃除機以外の電気装置であっても対向させて用いることができる。
【００６８】
また、電動送風機６を駆動させるスイッチのオンにより、この電動送風機６を駆動させる前に回路基板９１にてバイブレータ８４を振動させた構成について説明したが、電動送風機６をオンオフさせるスイッチをオフさせて、この電動送風機６の駆動を回路基板９１にて停止させた後に、この回路基板９１にてバイブレータ８４を振動させてフィルタ装置７１のフィルタシート６２を振動させる構成とすることもできる。
【００６９】
この結果、電動送風機６を駆動させて掃除をする毎に、この掃除の際にフィルタ装置７１のフィルタシート６２にて捕捉した塵埃を取り除くことができる。したがって、このフィルタシート６２にて捕捉した塵埃をその都度取り除くことができるから、このフィルタシート６２にて捕捉した塵埃を掃除終了時に効率良く取り除くことができる。
【００７０】
また、回路基板９１によりバイブレータ８４を自由なタイミングで振動させて、フィルタ装置７１のフィルタシート６２に入り込んで付着した塵埃を取り除くこともできる。例えば、所定の時刻となった際にバイブレータ８４を自動的に回路基板９１にて振動させてもよい。
【００７１】
【発明の効果】
本発明によれば、電動送風機を駆動させる前に振動手段にてフィルタ装置を振動させることにより、掃除を行う前には確実にフィルタ装置にて捕捉した塵埃を取り除くことができるので、電動送風機による吸込効率の低下を防止できる。
【００７２】
また、電動送風機の駆動を停止させた後に振動手段にてフィルタ装置を振動させることにより、電動送風機を駆動させる毎にフィルタ装置にて捕捉した塵埃を取り除くことができるため、このフィルタ装置にて捕捉した塵埃をその都度取り除くことができ、このフィルタ装置にて捕捉した塵埃を確実に取り除くことができる。
【００７３】
さらに、振動手段にて伝達体を振動させた際に、この伝達体の複数の爪部がシート体の凹部を乗り越えないので、このシート体の寿命に悪影響を与えることなく、このシート体にて捕捉した塵埃を取り除くことができる。
【図面の簡単な説明】
【図１】本発明の電気掃除機の一実施の形態を示す説明側面図である。
【図２】同上電気掃除機の一部を示す正面図である。
【図３】同上電気掃除機のフィルタ装置を示す斜視図である。
【図４】同上電気掃除機の一部を示す一部を切り欠いた分解斜視図である。
【図５】同上電気掃除機の一部を示す一部を切り欠いた斜視図である。
【符号の説明】
６　　電動送風機
６２　　シート体としてのフィルタシート
７１　　フィルタ装置
７２　　枠体としての枠フレーム
７３　　突部
７４　　凹部
７５　　伝達体としての振動伝達部材
７７　　爪部としての係合爪部
８４　　振動手段としてのバイブレータ
９１　　制御手段としての回路基板
【図１】
2004121621.tif 000003
【図２】
2004121621.tif 000004
【図３】
2004121621.tif 000005
【図４】
2004121621.tif 000006
【図５】
2004121621.tif 000007